(57)【要約】【課題】使用可能な無線周波数を効率良く増やす。【解決手段】無線周波数管理装置は、使用不可周波数リストから削除する無線周波数の候補を抽出するための判定指標値を無線周波数毎および判定指標値の生成アルゴリズム毎に生成する判定指標値生成部４と、使用不可状態の無線周波数のうち判定指標値が抽出条件を満足する無線周波数を使用不可登録削除候補として抽出する使用不可登録削除候補抽出部５と、候補の使用可否を判定する無線周波数使用可否判定部６と、判定指標値と判定指標値の生成アルゴリズムを示す識別情報と候補の使用可否の判定結果と判定結果を得た日時とを履歴情報として記憶する無線周波数使用可否判定結果履歴記憶部９と、候補の使用可否の判定結果と判定指標値とを判定指標値の生成アルゴリズム別に表示する無線周波数使用可否判定結果表示部１０を備える。【選択図】  図１
2015119245.tif 000002
【特許請求の範囲】
【請求項１】
管理対象となる無線システムで使用できなかった無線周波数のリストである使用不可周波数リストを記憶する使用不可周波数リスト記憶手段と、
無線周波数が前記使用不可周波数リストに登録された日時および無線周波数が前記使用不可周波数リストから削除された日時を履歴情報として記憶する使用不可登録履歴記憶手段と、
前記使用不可登録履歴記憶手段に記憶されている履歴情報と予め設定された複数の生成アルゴリズムに基づいて、前記使用不可周波数リストから削除する無線周波数の候補を抽出するための判定指標値を、前記使用不可周波数リストに登録された無線周波数毎および生成アルゴリズム毎に生成する判定指標値生成手段と、
前記使用不可周波数リストに登録されている使用不可能状態の無線周波数のうち前記判定指標値が所定の抽出条件を満足する無線周波数を使用不可登録削除候補として抽出する使用不可登録削除候補抽出手段と、
前記使用不可登録削除候補が使用可能になったかどうかを判定する無線周波数使用可否判定手段と、
前記複数の生成アルゴリズムのうち外部から選択された生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新する使用不可登録削除手段と、
前記使用不可周波数リストに登録されている無線周波数を前記使用不可登録削除候補として抽出する基になった判定指標値とこの判定指標値の生成アルゴリズムを示す識別情報と前記使用不可登録削除候補の使用可否の判定結果とを履歴情報として記憶する無線周波数使用可否判定結果履歴記憶手段と、
この無線周波数使用可否判定結果履歴記憶手段に記憶されている履歴情報に基づいて、前記使用不可登録削除候補の使用可否の判定結果と判定指標値とを、判定指標値の生成アルゴリズム別に表示する無線周波数使用可否判定結果表示手段とを備えることを特徴とする無線周波数管理装置。
【請求項２】
請求項１記載の無線周波数管理装置において、
さらに、外部からの指示に従って前記複数の生成アルゴリズムのうちいずれか１つを選択する判定指標値生成アルゴリズム選択手段を備え、
前記使用不可登録削除手段は、前記判定指標値生成アルゴリズム選択手段が選択した生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新することを特徴とする無線周波数管理装置。
【請求項３】
請求項１または２記載の無線周波数管理装置において、
前記無線周波数使用可否判定結果履歴記憶手段は、前記判定指標値とこの判定指標値の生成アルゴリズムを示す識別情報と前記使用不可登録削除候補の使用可否の判定結果に加えて、この判定結果を得た日時の情報を履歴情報として記憶し、
前記無線周波数使用可否判定結果表示手段は、前記使用不可登録削除候補の使用可否の判定結果と判定指標値とを表示する際に、判定結果を得た時刻または日時の情報を併せて表示することを特徴とする無線周波数管理装置。
【請求項４】
請求項１または２記載の無線周波数管理装置において、
前記無線周波数使用可否判定結果表示手段は、前記使用不可登録削除候補の使用可否の判定結果と判定指標値とを表示する際に、前記使用不可登録削除候補の識別情報を併せて表示することを特徴とする無線周波数管理装置。
【請求項５】
請求項１、２、４のいずれか１項に記載の無線周波数管理装置において、
前記無線周波数使用可否判定結果表示手段は、前記使用不可登録削除候補の使用可否の判定結果と判定指標値とを表示する際に、前記使用不可登録削除候補の使用可否の判定の成功回数および失敗回数を併せて表示することを特徴とする無線周波数管理装置。
【請求項６】
無線周波数が使用不可周波数リストに登録された日時および無線周波数が前記使用不可周波数リストから削除された日時を履歴情報として記憶する使用不可登録履歴記憶手段を参照して、前記履歴情報と予め設定された複数の生成アルゴリズムに基づいて、前記使用不可周波数リストから削除する無線周波数の候補を抽出するための判定指標値を、前記使用不可周波数リストに登録された無線周波数毎および生成アルゴリズム毎に生成する判定指標値生成ステップと、
前記使用不可周波数リストに登録されている使用不可能状態の無線周波数のうち前記判定指標値が所定の抽出条件を満足する無線周波数を使用不可登録削除候補として抽出する使用不可登録削除候補抽出ステップと、
前記使用不可登録削除候補が使用可能になったかどうかを判定する無線周波数使用可否判定ステップと、
前記複数の生成アルゴリズムのうち外部から選択された生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新する使用不可登録削除ステップと、
前記使用不可周波数リストに登録されている無線周波数を前記使用不可登録削除候補として抽出する基になった判定指標値とこの判定指標値の生成アルゴリズムを示す識別情報と前記使用不可登録削除候補の使用可否の判定結果とを履歴情報として無線周波数使用可否判定結果履歴記憶手段に記憶させる無線周波数使用可否判定結果履歴記憶ステップと、
前記無線周波数使用可否判定結果履歴記憶手段に記憶されている履歴情報に基づいて、前記使用不可登録削除候補の使用可否の判定結果と判定指標値とを、判定指標値の生成アルゴリズム別に表示する無線周波数使用可否判定結果表示ステップとを含むことを特徴とする無線周波数管理方法。
【請求項７】
請求項６記載の無線周波数管理方法において、
さらに、外部からの指示に従って前記複数の生成アルゴリズムのうちいずれか１つを選択する判定指標値生成アルゴリズム選択ステップを含み、
前記使用不可登録削除ステップは、前記判定指標値生成アルゴリズム選択ステップで選択した生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新することを特徴とする無線周波数管理方法。
【発明の詳細な説明】
【技術分野】
【０００１】
本発明は、無線システムが使用不可能な無線周波数を使用不可周波数リストを用いて管理する無線周波数管理装置および方法に関するものである。
【背景技術】
【０００２】
プラントや建物内で使用される無線システムでは、他の無線システムとの干渉により、通信の安定性が低くなることがある。電波環境の状態は、他の無線システムの新たな設置や使用状況の変化により時間とともに変化するため、以前は良好な状態であった無線周波数が、現在は干渉してしまう周波数となることもある。これとは逆に、以前は他の無線システムとの干渉で不安定であった無線周波数が、現在は安定して利用できるようになっていることもある。
【０００３】
そこで、他の無線システムとの干渉により安定しない無線周波数をブラックリストに登録し、登録した無線周波数を利用しないようにする技術が提案されている（特許文献１参照）。無線機器間の通信では、直接波、反射波、透過波といった電波の重ね合わせにより、電波を強め合ったり弱め合ったりする場所が生じる。電波が弱い場所に無線機器が設置されている場合、他の無線システムが存在しない状況であっても通信が安定しない。電波が弱い場所は、使用する無線周波数や、電波を反射する物の設置状況によって異なる。無線システムが設置されている場所の電波状況や置かれている物の状況は、時間とともに変化するため、より多くの無線周波数を使用できた方が、通信の安定性を確保するためには有利である。しかしながら、特許文献１に開示された技術では、一度ブラックリストに登録された無線周波数は、電波状況が変化して良好な状態になったとしても、ブラックリストから削除されないため、使用できる無線周波数が減ってしまうという問題がある。
【０００４】
そこで、利用可能となった無線周波数をブラックリストから削除し、再び利用できるようにする技術が提案されている（特許文献２参照）。特許文献２に開示された技術では、送電装置から送電するときの無線周波数ごとに送電効率を求め、送電効率が基準下限値以下の無線周波数を不使用候補パラメータに設定する。一定期間内にこの不使用候補パラメータに設定された回数が所定の回数となった無線周波数を不使用パラメータとしてブラックリストに登録し、当該無線周波数を使用しないようにする。無線周波数が一旦ブラックリストに登録されたとしても、電波環境が変化すれば、再度正常に電力を送受信できる可能性があるので、特許文献２に開示された技術では、定期的または非定期的に不使用パラメータまたは不使用候補パラメータの解除を行い、使用可能な無線周波数の数をできる限り多くするようにしている。
【先行技術文献】
【特許文献】
【０００５】
【特許文献１】特表２００５−５１３９７４号公報
【特許文献２】特開２０１２−１７５７９７号公報
【発明の概要】
【発明が解決しようとする課題】
【０００６】
特許文献２に開示された技術では、電波環境が真に改善されたか否かに関係なく、定期的または非定期的に無線周波数をブラックリストから削除するため、利用できない無線周波数もブラックリストから削除してしまう可能性があり、利用できない無線周波数で通信を試みる可能性があった。その結果、特許文献２に開示された技術では、他の無線通信の邪魔をしたり、通信の遅延が発生したり、無駄なエネルギーを消費したりするという問題点があった。
【０００７】
本発明は、上記課題を解決するためになされたもので、無線システムが使用不可能な無線周波数を使用不可周波数リストを用いて管理する無線周波数管理装置および方法において、使用可能な無線周波数を効率良く増やすことを目的とする。
【課題を解決するための手段】
【０００８】
本発明の無線周波数管理装置は、管理対象となる無線システムで使用できなかった無線周波数のリストである使用不可周波数リストを記憶する使用不可周波数リスト記憶手段と、無線周波数が前記使用不可周波数リストに登録された日時および無線周波数が前記使用不可周波数リストから削除された日時を履歴情報として記憶する使用不可登録履歴記憶手段と、前記使用不可登録履歴記憶手段に記憶されている履歴情報と予め設定された複数の生成アルゴリズムに基づいて、前記使用不可周波数リストから削除する無線周波数の候補を抽出するための判定指標値を、前記使用不可周波数リストに登録された無線周波数毎および生成アルゴリズム毎に生成する判定指標値生成手段と、前記使用不可周波数リストに登録されている使用不可能状態の無線周波数のうち前記判定指標値が所定の抽出条件を満足する無線周波数を使用不可登録削除候補として抽出する使用不可登録削除候補抽出手段と、前記使用不可登録削除候補が使用可能になったかどうかを判定する無線周波数使用可否判定手段と、前記複数の生成アルゴリズムのうち外部から選択された生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新する使用不可登録削除手段と、前記使用不可周波数リストに登録されている無線周波数を前記使用不可登録削除候補として抽出する基になった判定指標値とこの判定指標値の生成アルゴリズムを示す識別情報と前記使用不可登録削除候補の使用可否の判定結果とを履歴情報として記憶する無線周波数使用可否判定結果履歴記憶手段と、この無線周波数使用可否判定結果履歴記憶手段に記憶されている履歴情報に基づいて、前記使用不可登録削除候補の使用可否の判定結果と判定指標値とを、判定指標値の生成アルゴリズム別に表示する無線周波数使用可否判定結果表示手段とを備えることを特徴とするものである。
【０００９】
また、本発明の無線周波数管理装置の１構成例は、さらに、外部からの指示に従って前記複数の生成アルゴリズムのうちいずれか１つを選択する判定指標値生成アルゴリズム選択手段を備え、前記使用不可登録削除手段は、前記判定指標値生成アルゴリズム選択手段が選択した生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新することを特徴とするものである。
また、本発明の無線周波数管理装置の１構成例において、前記無線周波数使用可否判定結果履歴記憶手段は、前記判定指標値とこの判定指標値の生成アルゴリズムを示す識別情報と前記使用不可登録削除候補の使用可否の判定結果に加えて、この判定結果を得た日時の情報を履歴情報として記憶し、前記無線周波数使用可否判定結果表示手段は、前記使用不可登録削除候補の使用可否の判定結果と判定指標値とを表示する際に、判定結果を得た時刻または日時の情報を併せて表示することを特徴とするものである。
また、本発明の無線周波数管理装置の１構成例において、前記無線周波数使用可否判定結果表示手段は、前記使用不可登録削除候補の使用可否の判定結果と判定指標値とを表示する際に、前記使用不可登録削除候補の識別情報を併せて表示することを特徴とするものである。
また、本発明の無線周波数管理装置の１構成例において、前記無線周波数使用可否判定結果表示手段は、前記使用不可登録削除候補の使用可否の判定結果と判定指標値とを表示する際に、前記使用不可登録削除候補の使用可否の判定の成功回数および失敗回数を併せて表示することを特徴とするものである。
【００１０】
また、本発明の無線周波数管理方法は、無線周波数が使用不可周波数リストに登録された日時および無線周波数が前記使用不可周波数リストから削除された日時を履歴情報として記憶する使用不可登録履歴記憶手段を参照して、前記履歴情報と予め設定された複数の生成アルゴリズムに基づいて、前記使用不可周波数リストから削除する無線周波数の候補を抽出するための判定指標値を、前記使用不可周波数リストに登録された無線周波数毎および生成アルゴリズム毎に生成する判定指標値生成ステップと、前記使用不可周波数リストに登録されている使用不可能状態の無線周波数のうち前記判定指標値が所定の抽出条件を満足する無線周波数を使用不可登録削除候補として抽出する使用不可登録削除候補抽出ステップと、前記使用不可登録削除候補が使用可能になったかどうかを判定する無線周波数使用可否判定ステップと、前記複数の生成アルゴリズムのうち外部から選択された生成アルゴリズムによって算出された判定指標値に基づく使用不可登録削除候補が使用可能と判定されたときに、この使用不可登録削除候補を前記使用不可周波数リストから削除すると共に、前記使用不可登録履歴記憶手段に記憶されている当該使用不可登録削除候補の削除日時を更新する使用不可登録削除ステップと、前記使用不可周波数リストに登録されている無線周波数を前記使用不可登録削除候補として抽出する基になった判定指標値とこの判定指標値の生成アルゴリズムを示す識別情報と前記使用不可登録削除候補の使用可否の判定結果とを履歴情報として無線周波数使用可否判定結果履歴記憶手段に記憶させる無線周波数使用可否判定結果履歴記憶ステップと、前記無線周波数使用可否判定結果履歴記憶手段に記憶されている履歴情報に基づいて、前記使用不可登録削除候補の使用可否の判定結果と判定指標値とを、判定指標値の生成アルゴリズム別に表示する無線周波数使用可否判定結果表示ステップとを含むことを特徴とするものである。
【発明の効果】
【００１１】
本発明によれば、使用不可周波数リストに登録されている使用不可能状態の無線周波数毎に判定指標値を算出し、判定指標値を基に、使用可能になっている可能性が高い無線周波数を使用不可登録削除候補として抽出し、使用不可登録削除候補が実際に使用可能になったかどうかを確認して、使用可能になった使用不可登録削除候補を使用不可周波数リストから削除するようにしたので、使用できない無線周波数で通信を試みる可能性を低減することができ、通信の遅延や無駄なエネルギー消費を低減して、使用可能な無線周波数を効率良く増やすことができる。また、本発明では、判定指標値の生成アルゴリズムを予め複数設定し、判定指標値を、使用不可周波数リストに登録された無線周波数毎および生成アルゴリズム毎に生成し、使用不可登録削除候補の使用可否の判定結果と判定指標値とを、判定指標値の生成アルゴリズム別に表示するようにしたので、オペレータが現在選択されている判定指標値の生成アルゴリズムが妥当なものかどうかを判断する際の材料を提供することができる。
【００１２】
また、本発明では、使用不可登録削除候補の使用可否の判定結果と判定指標値とを表示する際に、判定結果を得た時刻または日時の情報を併せて表示することにより、例えば特定の時刻に他の時間帯とは大いに異なる判定結果が検出された場合に、その特定の時刻に判定結果に影響を与える事象が生じたかどうかを検討する手がかりになり、オペレータが現在選択されている判定指標値の生成アルゴリズムが妥当なものかどうかを判断する際の材料を提供することができる。
【００１３】
また、本発明では、使用不可登録削除候補の使用可否の判定結果と判定指標値とを表示する際に、使用不可登録削除候補の識別情報を併せて表示することにより、オペレータは使用不可登録削除候補の使用可否の判定結果と判定指標値とが整合しているかどうかを無線周波数毎に把握することができ、オペレータが現在選択されている判定指標値の生成アルゴリズムが妥当なものかどうかを判断する際の材料を提供することができる。
【００１４】
また、本発明では、使用不可登録削除候補の使用可否の判定結果と判定指標値とを表示する際に、使用不可登録削除候補の使用可否の判定の成功回数および失敗回数を併せて表示することにより、オペレータは使用不可登録削除候補の使用可否の判定結果と判定指標値とが整合しているかどうかを把握することができ、オペレータが現在選択されている判定指標値の生成アルゴリズムが妥当なものかどうかを判断する際の材料を提供することができる。
【図面の簡単な説明】
【００１５】
【図１】本発明の第１の実施の形態に係る無線周波数管理装置の構成を示すブロック図である。
【図２】本発明の第１の実施の形態において使用不可登録履歴記憶部に記憶される履歴情報の１例を示す図である。
【図３】本発明の第１の実施の形態の使用不可登録削除処理を説明するフローチャートである。
【図４】使用不可登録削除処理終了後の使用不可登録履歴記憶部に記憶されている履歴情報を示す図である。
【図５】本発明の第１の実施の形態において無線周波数使用可否判定結果履歴記憶部に記憶される履歴情報の１例を示す図である。
【図６】本発明の第１の実施の形態の無線周波数使用可否判定結果表示部による表示例を示す図である。
【図７】本発明の第２の実施の形態の無線周波数使用可否判定結果表示部による表示例を示す図である。
【図８】本発明の第３の実施の形態の無線周波数使用可否判定結果表示部による表示例を示す図である。
【発明を実施するための形態】
【００１６】
以下、本発明の実施の形態について図面を参照して説明する。図１は本発明の第１の実施の形態に係る無線周波数管理装置の構成を示すブロック図である。無線周波数管理装置は、管理対象となる無線システム（不図示）で使用できなかった無線周波数のリストである使用不可周波数リストを記憶する使用不可周波数リスト記憶部１と、無線周波数が使用不可周波数リストに登録された日時および無線周波数が使用不可周波数リストから削除された日時を履歴情報として記憶する使用不可登録履歴記憶部２と、管理対象となる無線システムで使用できなかった無線周波数を使用不可周波数リストに登録すると共に、当該無線周波数の使用不可周波数リストへの登録日時を、使用不可登録履歴記憶部２に記憶されている履歴情報に加える使用不可周波数リスト登録部３と、使用不可登録履歴記憶部２に記憶されている履歴情報と予め設定された複数の生成アルゴリズムに基づいて、使用不可周波数リストから削除する無線周波数の候補を抽出するための判定指標値を、使用不可周波数リストに登録された無線周波数毎および生成アルゴリズム毎に生成する判定指標値生成部４と、使用不可周波数リストに登録されている使用不可能状態の無線周波数のうち判定指標値が所定の抽出条件を満足する無線周波数を使用不可登録削除候補として抽出する使用不可登録削除候補抽出部５と、使用不可登録削除候補が使用可能になったかどうかを判定する無線周波数使用可否判定部６と、複数の生成アルゴリズムのうち後述する判定指標値生成アルゴリズム選択部１１が選択した生成アルゴリズムによって算出された判定指標値に基づく使用不可登録削除候補が使用可能と判定されたときに、この使用不可登録削除候補を使用不可周波数リストから削除すると共に、使用不可登録履歴記憶部２に記憶されている当該使用不可登録削除候補の削除日時を更新する使用不可登録削除部７と、使用不可登録削除候補が使用不可能と判定されたときに、使用不可登録履歴記憶部２に記憶されている当該使用不可登録削除候補の履歴情報に降格マークを付加する降格マーク付加部８と、使用不可周波数リストに登録されている無線周波数を使用不可登録削除候補として抽出する基になった判定指標値とこの判定指標値の生成アルゴリズムを示す識別情報と使用不可登録削除候補の使用可否の判定結果と判定結果を得た日時の情報とを履歴情報として記憶する無線周波数使用可否判定結果履歴記憶部９と、無線周波数使用可否判定結果履歴記憶部９に記憶されている履歴情報に基づいて、使用不可登録削除候補の使用可否の判定結果と判定指標値とを、判定指標値の生成アルゴリズム別に表示する無線周波数使用可否判定結果表示部１０と、外部からの指示に従って判定指標値の複数の生成アルゴリズムのうちいずれか１つを選択する判定指標値生成アルゴリズム選択部１１とから構成される。
【００１７】
使用不可周波数リスト登録部３は、管理対象となる無線システムで使用できなかった無線周波数を、使用不可周波数リスト記憶部１に記憶されている使用不可周波数リストに登録すると共に、当該無線周波数の使用不可周波数リストへの登録日時を、使用不可登録履歴記憶部２に記憶されている当該無線周波数の履歴情報に加える。使用不可周波数リスト登録部３は、このような登録処理を無線システムからの無線周波数使用不可情報に応じて随時行う。
【００１８】
無線システムは、ある無線周波数が使用不可周波数リストに登録されると、この登録が削除されるまで、当該無線周波数を使用しないようにする。ここで、ある無線周波数が使用できるか否かの判断は無線システムに依存するが、無線システムは、例えば無線周波数を使って情報を送信したときに相手からの応答がない場合、あるいは無線周波数を使った通信のエラー率が所定の閾値以上の場合に、この無線周波数を使用できないと判定する。
【００１９】
図２は使用不可登録履歴記憶部２に記憶される履歴情報の１例を示す図である。図２の例では、無線周波数をチャネル番号で表している。図２に示す履歴情報によると、チャネル番号１７の無線周波数は、２０１２年１０月１日の１２時１分１５秒の時点で使用不可周波数リストに登録され、同１０月１日の１５時３分５６秒の時点で使用不可周波数リストから削除され、また２０１２年１１月１日の１５時５分３０秒の時点で使用不可周波数リストに登録され、同１１月１日の１８時５分５５秒の時点で使用不可周波数リストから削除され、さらに２０１２年１２月１日の１１時７分２０秒の時点で使用不可周波数リストに登録されたことが分かる。
【００２０】
使用不可周波数リストに登録されている使用不可能状態の無線周波数については、削除日時の情報が非現実的な値（図２の例では２０９９年１２月３１日の２３時５９分５９秒）に設定されている。したがって、最新の履歴情報によれば、例えばチャネル番号１７の無線周波数は、２０１２年１２月１日の１１時７分２０秒の時点で使用不可周波数リストに登録された後、使用不可周波数リストから削除されていないことが分かる。なお、図２の降格マークについては後述する。
【００２１】
使用不可周波数リストに登録された無線周波数が増えると、使用できる無線周波数が減ってしまうので、使用不可登録履歴記憶部２に記憶されている履歴情報を基に、使用可能になっている可能性が高い無線周波数を使用不可周波数リストから削除できるか否かを判断する。図３は本実施の形態の使用不可登録削除処理を説明するフローチャートである。
【００２２】
判定指標値生成部４は、使用不可周波数リストに登録された無線周波数が増えて使用可能な無線周波数が一定数以下になった場合、または一定間隔で実行するように予め規定された削除処理タイミングになった場合、使用不可登録履歴記憶部２に記憶されている履歴情報を基に、使用不可周波数リストから削除する無線周波数の候補を抽出するための判定指標値を生成する（図３ステップＳ１）。
【００２３】
本実施の形態では、判定指標値の生成アルゴリズムとして複数の生成アルゴリズムが予め設定されており、判定指標値生成部４は、判定指標値の算出を、使用不可周波数リストに登録されている使用不可能状態の無線周波数毎および生成アルゴリズム毎に行う。以下、判定指標値の３つの生成アルゴリズムについて説明する。
【００２４】
［第１の生成アルゴリズム］
第１の生成アルゴリズムでは、無線周波数が、ある時点で偶然に使用不可周波数リストに登録された場合を想定している。このような場合としては、例えば通信経路上に一時的に配置された物体の影響で、固定的に設置されている無線機器間で電波が弱くなり、使用されていた無線周波数が使用不可周波数リストに登録されたが、現在は物体が移動したために、無線機器間で電波が弱くなる状況が解消された場合などがある。
【００２５】
このような場合に対応するため、第１の生成アルゴリズムでは、一定時間前の過去から現在時刻までの期間を指定期間ＲＴ（例えば直近１日）とし、無線周波数が指定期間ＲＴ中で使用不可能となっていた使用不可累積時間ＦＴの割合である使用不可能率ＦＴ／ＲＴを算出し、この使用不可能率ＦＴ／ＲＴから算出される使用可能率Ｖ１［％］を判定指標値とする。すなわち、使用可能率Ｖ１は、無線周波数が指定期間ＲＴ中で使用可能となっていた使用可能累積時間ＳＴの割合である。
Ｖ１＝（１−ＦＴ／ＲＴ）×１００＝ＳＴ／ＲＴ×１００            ・・・（１）
【００２６】
使用不可登録履歴記憶部２に記憶されている履歴情報を参照すれば、無線周波数が使用可能であった日時と使用不可能であった日時とを認識することができるので、判定指標値生成部４は、無線周波数が指定期間ＲＴ中で使用不可能となっていた使用不可累積時間ＦＴを求めることができ、判定指標値Ｖ１を算出することができる。判定指標値生成部４は、以上のような第１の生成アルゴリズムに則った判定指標値Ｖ１の算出を、使用不可周波数リストに登録されている使用不可能状態の無線周波数毎に行う。
【００２７】
［第２の生成アルゴリズム］
次に、第２の生成アルゴリズムについて説明する。第２の生成アルゴリズムでは、使用不可周波数リストに登録された時点から、より長く時間が経過している無線周波数ほど、電波環境が変化し、現在は使用できるようになっている可能性が高い場合を想定している。このような場合としては、例えば通信経路上に一時的に配置された物体の影響で、固定的に設置されている無線機器間で電波が弱くなり、使用されていた無線周波数が使用不可周波数リストに登録されたが、現在は物体が移動したために、無線機器間で電波が弱くなる状況が解消された場合などがある。
【００２８】
このような場合に対応するため、第２の生成アルゴリズムでは、無線周波数が使用不可周波数リストに登録された最新の日時から現在までの時間である使用不可継続時間ＣＴを基に以下のように判定指標値Ｖ２［％］を算出する。
Ｖ２＝ＣＴ／ＣＴｍａｘ×１００                                  ・・・（２）
【００２９】
式（２）におけるＣＴｍａｘは、予め設定された固有値である最大使用不可継続時間である。使用不可登録履歴記憶部２に記憶されている履歴情報を参照すれば、無線周波数が使用不可周波数リストに登録された最新の日時を取得することができる。例えば図２の例では、チャネル番号１７の無線周波数が使用不可周波数リストに登録された最新の日時は２０１２年１２月１日の１１時７分２０秒であることが分かる。この最新の日時を基に使用不可継続時間ＣＴを求めることができる。現在の失敗回数Ｆは、無線周波数使用可否判定結果履歴記憶部９に記憶されている履歴情報から求めることができるが、無線周波数使用可否判定結果履歴記憶部９については後述する。
【００３０】
なお、式（２）は、ＣＴｍａｘ≧ＣＴ、すなわち現在の使用不可継続時間が最大使用不可継続時間ＣＴｍａｘ以下であるときの判定指標値Ｖ２の算出方法であり、ＣＴｍａｘ＜ＣＴ、すなわち現在の使用不可継続時間ＣＴが最大使用不可継続時間ＣＴｍａｘより大きいときには判定指標値Ｖ２を０とする。判定指標値生成部４は、以上のような第２の生成アルゴリズムに則った判定指標値Ｖ２の算出を、使用不可周波数リストに登録されている使用不可能状態の無線周波数毎に行う。
【００３１】
本実施の形態では、使用不可周波数リストから削除する無線周波数の候補を判定指標値に基づいて抽出する。第２の生成アルゴリズムでは、無線周波数の使用可否を判定したときに判定結果が使用不可になると、使用不可状態が維持され、当該無線周波数の判定指標値Ｖ２を次に算出したときに、使用不可継続時間が増えた分だけ判定指標値Ｖ２が大きくなる。したがって、使用不可周波数リストから削除する無線周波数の候補を抽出しようとするときに、使用不可継続時間が短い、すなわち電波環境が変化している可能性が低い無線周波数が候補として選定され難いようにすることができ、無駄な試行を少なくすることができる。また、第２の生成アルゴリズムでは、最大使用不可継続時間ＣＴｍａｘというしきい値を設けることにより、時間の経過に関わらず、使用不可の状態が継続する無線周波数については、判定指標値Ｖ２を０とすることで、使用不可登録削除候補とならないようにすることができる。
【００３２】
［第３の生成アルゴリズム］
次に、第３の生成アルゴリズムについて説明する。第３の生成アルゴリズムでは、電波環境が時間帯によってパターンを持つ場合を想定している。このような場合としては、例えば管理対象となる無線システムが無線ＬＡＮ（Local Area Network）と共存する環境において、昼間は無線ＬＡＮの利用が多いために無線ＬＡＮで使用されている無線周波数が使用不可能となる可能性が高くなり、夜間は無線ＬＡＮの利用が少なくなるために無線周波数が使用不可能となる可能性が低くなる場合などがある。
【００３３】
このような場合に対応するため、第３の生成アルゴリズムでは、過去の一定期間（日数）を指定期間ＰＤとし、無線周波数が過去の指定期間ＰＤで所定の時間帯ＷＴで使用不可能となっていた累積回数（累積日数）ＭＤの割合である使用不可能率ＭＤ／ＰＤを算出し、この使用不可能率ＭＤ／ＰＤから算出される使用可能率Ｖ３［％］を判定指標値とする。すなわち、使用可能率Ｖ３は、無線周波数が指定期間ＰＤで所定の時間帯ＷＴで使用可能となっていた累積回数（累積日数）ＬＤの割合である。
Ｖ３＝（１−ＭＤ／ＰＤ）×１００＝ＬＤ／ＰＤ×１００            ・・・（３）
【００３４】
使用不可登録履歴記憶部２に記憶されている履歴情報を参照すれば、無線周波数が使用可能であった日時と使用不可能であった日時とを認識することができるので、判定指標値生成部４は、無線周波数が過去の指定期間ＰＤで所定の時間帯ＷＴで使用不可能となっていた累積回数（累積日数）ＭＤを求めることができ、判定指標値Ｖ３を算出することができる。ここで、所定の時間帯ＷＴは、無線周波数を使用したい時間帯とすればよい。判定指標値生成部４は、以上のような第３の生成アルゴリズムに則った判定指標値Ｖ３の算出を、使用不可周波数リストに登録されている使用不可能状態の無線周波数毎に行う。こうして、本実施の形態では、３つの生成アルゴリズムの各々について判定指標値を算出する。
【００３５】
次に、使用不可登録削除候補抽出部５は、使用不可周波数リストに登録されている使用不可能状態の無線周波数の中に判定指標値Ｖ１，Ｖ２，Ｖ３が所定の抽出条件を満足する無線周波数が存在するかどうかを、使用不可能状態の無線周波数毎および生成アルゴリズム毎に判定する（図３ステップＳ２）。使用不可登録削除候補抽出部５は、判定指標値Ｖ１，Ｖ２，Ｖ３が所定の抽出条件を満足する無線周波数が存在する場合（ステップＳ２においてＹＥＳ）、この無線周波数を使用不可登録削除候補とする（図３ステップＳ３）。ここでは、判定指標値Ｖ１，Ｖ２，Ｖ３に対応する抽出条件として、判定指標値Ｖ１，Ｖ２，Ｖ３が所定の閾値（例えば５０％）以上であること、という条件が予め定められているものとする。なお、抽出条件は生成アルゴリズム毎に設定してもよく、生成アルゴリズム毎に異なっていてもよい。
【００３６】
次に、無線周波数使用可否判定部６は、使用不可登録削除候補抽出部５が抽出した使用不可登録削除候補のうち、使用可能になっている可能性が最も高い無線周波数が実際に使用可能になったかどうかを、管理対象となる無線システムに問い合わせる（図３ステップＳ４）。ここでは、使用不可登録削除候補のうち判定指標値Ｖ１，Ｖ２，Ｖ３が最も大きい無線周波数を、使用可能になっている可能性が最も高い無線周波数とする。
【００３７】
無線システムは、無線周波数使用可否判定部６からの問い合わせに応じて、無線周波数が使用可能になったかどうかを確認する試験を行い、無線周波数の使用可否の判定結果を無線周波数使用可否判定部６に通知する。無線システムは、例えば無線周波数を使って情報を送信したときに相手からの応答があった場合、あるいは無線周波数を使った通信のエラー率が所定の閾値未満の場合に、この無線周波数を使用できたと判定する。無線周波数使用可否判定部６は、無線システムから受け取った無線周波数の使用可否の判定結果を使用不可登録削除部７と降格マーク付加部８とに通知する。
【００３８】
使用不可登録削除部７は、無線周波数使用可否判定部６から無線周波数の使用が可能という通知を受け取ったとき（ステップＳ４においてＹＥＳ）、この使用可能になった無線周波数が判定指標値生成アルゴリズム選択部１１によって現在選択されている生成アルゴリズムによって算出された判定指標値に基づく使用不可登録削除候補であった場合（図３ステップＳ５においてＹＥＳ）、この使用可能になった無線周波数を使用不可周波数リスト記憶部１に記憶されている使用不可周波数リストから削除すると共に、使用不可登録履歴記憶部２に記憶されている当該無線周波数の削除日時を現在の日時に更新する（図３ステップＳ６）。判定指標値生成アルゴリズム選択部１１の動作については後述する。
【００３９】
無線周波数使用可否判定部６は、無線システムから無線周波数の使用可否の判定結果を受け取ったとき、この無線周波数を使用不可登録削除候補として抽出する基になった判定指標値とこの判定指標値の生成アルゴリズムを示す識別情報と無線周波数の使用可否の判定結果と使用可否の判定結果を得た日時の情報とを、無線周波数使用可否判定結果履歴記憶部９に記憶されている当該無線周波数の履歴情報に加える（図３ステップＳ７）。
【００４０】
例えば判定指標値生成アルゴリズム選択部１１によって現在選択されている生成アルゴリズムが第１の生成アルゴリズムで、無線システムによって使用可能と判定された無線周波数が図２のチャネル番号１７の無線周波数であり、このチャネル番号１７の無線周波数が第１の生成アルゴリズムによって算出された判定指標値Ｖ１に基づいて抽出された使用不可登録削除候補であった場合、判定指標値Ｖ１と第１の生成アルゴリズムを示す識別情報と無線周波数の使用可否の判定結果（ここでは使用可を示す「成功」）と使用可否の判定結果を得た日時の情報とが当該無線周波数の履歴情報として登録される。
【００４１】
また、無線周波数使用可否判定部６は、無線システムによって使用可能と判定された無線周波数が判定指標値生成アルゴリズム選択部１１によって現在選択されている生成アルゴリズムとは異なる生成アルゴリズムによって算出された判定指標値に基づく使用不可登録削除候補であった場合（ステップＳ５においてＮＯ）、この無線周波数を使用不可登録削除候補として抽出する基になった判定指標値とこの判定指標値の生成アルゴリズムを示す識別情報と無線周波数の使用可否の判定結果と使用可否の判定結果を得た日時の情報とを、無線周波数使用可否判定結果履歴記憶部９に記憶されている当該無線周波数の履歴情報に加える（ステップＳ７）。
【００４２】
例えば判定指標値生成アルゴリズム選択部１１によって現在選択されている生成アルゴリズムが第１の生成アルゴリズムで、無線システムによって使用可能と判定された無線周波数が図２のチャネル番号１８の無線周波数であり、このチャネル番号１８の無線周波数が第２の生成アルゴリズムによって算出された判定指標値Ｖ２に基づいて抽出された使用不可登録削除候補であった場合、判定指標値Ｖ２と第２の生成アルゴリズムを示す識別情報と無線周波数の使用可否の判定結果（ここでは使用可を示す「成功」）と使用可否の判定結果を得た日時の情報とが当該無線周波数の履歴情報として登録される。
【００４３】
一方、降格マーク付加部８は、無線周波数使用可否判定部６から無線周波数の使用が不可能という通知を受け取った場合（ステップＳ４においてＮＯ）、この使用不可能状態の無線周波数を使用不可周波数リストに載せたままにしておき、使用不可登録履歴記憶部２に記憶されている当該無線周波数の最新の履歴情報に降格マークを付加する（図３ステップＳ８）。この降格マークは、使用不可登録削除候補を抽出する際の無線周波数の選択順位を下げるために使用される。
【００４４】
そして、無線周波数使用可否判定部６は、この無線周波数を使用不可登録削除候補として抽出する基になった判定指標値とこの判定指標値の生成アルゴリズムを示す識別情報と無線周波数の使用可否の判定結果と使用可否の判定結果を得た日時の情報とを、無線周波数使用可否判定結果履歴記憶部９に記憶されている当該無線周波数の履歴情報に加える（ステップＳ７）。
【００４５】
例えば無線システムによって使用不可能と判定された無線周波数が図２のチャネル番号２１の無線周波数であり、このチャネル番号２１の無線周波数が第３の生成アルゴリズムによって算出された判定指標値Ｖ３に基づいて抽出された使用不可登録削除候補であった場合、判定指標値Ｖ３と第３の生成アルゴリズムを示す識別情報と無線周波数の使用可否の判定結果（ここでは使用不可を示す「失敗」）と使用可否の判定結果を得た日時の情報とが当該無線周波数の履歴情報として登録される。
【００４６】
無線周波数管理装置は、以上のようなステップＳ２〜Ｓ８の処理を、判定指標値Ｖ１，Ｖ２，Ｖ３が大きい順、すなわち選択順位が高い順に使用不可登録削除候補毎に行い、使用不可周波数リストに登録されている使用不可能状態の無線周波数の中に判定指標値Ｖ１，Ｖ２，Ｖ３が所定の抽出条件を満足する未処理の無線周波数が存在しなくなり、未処理の使用不可登録削除候補がなくなった時点で（ステップＳ２においてＮＯ）、使用不可登録削除処理を終了する。
【００４７】
上記のとおり、本実施の形態では、判定指標値の生成アルゴリズムとして３つの生成アルゴリズムが予め設定されているので、ステップＳ２〜Ｓ５，Ｓ７，Ｓ８は全ての生成アルゴリズムに関して実行される。一方、使用可能になった無線周波数を使用不可周波数リストから削除するステップＳ６の処理に関しては、判定指標値生成アルゴリズム選択部１１によって選択されている生成アルゴリズムによって算出された判定指標値に基づく使用不可登録削除候補についてのみ実行される。
【００４８】
使用不可登録削除処理終了後の使用不可登録履歴記憶部２に記憶されている履歴情報を図４に示す。図４の例では、チャネル番号１７の無線周波数が使用不可周波数リストから削除された日時（図４の例では２０１２年１２月１日の１２時０分５秒）が、このチャネル番号１７の無線周波数の最新の履歴情報に記録されている。また、チャネル番号２１の無線周波数の最新の履歴情報には降格マークが付加されている。図４の例では、降格マークが付加されていることを「○」印で表している。
【００４９】
判定指標値生成部４は、次回の使用不可登録削除処理で判定指標値を算出する際に、使用不可周波数リストに登録されている使用不可能状態の無線周波数のうち、対応する最新の履歴情報に降格マークが付加されている無線周波数については、当該無線周波数の選択順位が下がるように判定指標値を算出する。具体的には、判定指標値生成部４は、算出した判定指標値Ｖ１，Ｖ２，Ｖ３から所定値（例えば２０％）を減算すればよい。これにより、判定指標値Ｖ１，Ｖ２，Ｖ３が小さくなり、選択順位が下がるので、今回の使用不可登録削除処理で使用不可と判定された無線周波数が次回の使用不可登録削除処理で使用不可登録削除候補として選定され難いようにすることができる。
【００５０】
次に、無線周波数使用可否判定結果履歴記憶部９と無線周波数使用可否判定結果表示部１０と判定指標値生成アルゴリズム選択部１１について説明する。
上記のとおり、使用不可登録削除処理において、無線周波数使用可否判定部６は、無線システムから無線周波数の使用可否の判定結果を受け取ったとき、この無線周波数を使用不可登録削除候補として抽出する基になった判定指標値とこの判定指標値の生成アルゴリズムを示す識別情報と無線周波数の使用可否の判定結果と使用可否の判定結果を得た日時の情報とを、無線周波数使用可否判定結果履歴記憶部９に記憶されている当該無線周波数の履歴情報に加える（図３ステップＳ７）。
【００５１】
図５は無線周波数使用可否判定結果履歴記憶部９に記憶される履歴情報の１例を示す図である。図５の例では、無線周波数をチャネル番号（識別情報）で表している。このように履歴情報は無線周波数の識別情報と対応付けて記憶される。
【００５２】
判定指標値の第２の生成アルゴリズムで用いる失敗回数Ｆは、この無線周波数使用可否判定結果履歴記憶部９に記憶されている履歴情報と使用不可登録履歴記憶部２に記憶される履歴情報を基に求めることができる。具体的には、判定指標値生成部４は、判定指標値を算出しようとする無線周波数が使用不可周波数リストに登録された最新の日時を使用不可登録履歴記憶部２の履歴情報から求め、この最新の日時以降に行われた当該無線周波数の使用可否の判定で失敗（使用不可）という判定結果が得られた回数Ｆを、無線周波数使用可否判定結果履歴記憶部９の履歴情報を基にカウントすればよい。
【００５３】
次に、無線周波数使用可否判定結果表示部１０は、無線周波数管理装置のオペレータから表示要求があった場合、または一定間隔で実行するように予め規定された表示タイミングになった場合、無線周波数使用可否判定結果履歴記憶部９に記憶されている履歴情報を基に、無線周波数の使用可否の判定結果と判定指標値とを判定指標値の生成アルゴリズム毎に表示する。
【００５４】
図６（Ａ）〜図６（Ｃ）は無線周波数使用可否判定結果表示部１０による表示例を示す図であり、図６（Ａ）は第１の生成アルゴリズムによって算出された判定指標値Ｖ１に基づいて抽出された無線周波数の使用可否の判定結果を示す図、図６（Ｂ）は第２の生成アルゴリズムによって算出された判定指標値Ｖ２に基づいて抽出された無線周波数の使用可否の判定結果を示す図、図６（Ｃ）は第３の生成アルゴリズムによって算出された判定指標値Ｖ３に基づいて抽出された無線周波数の使用可否の判定結果を示す図である。
【００５５】
図６（Ａ）〜図６（Ｃ）では、縦軸を無線周波数のチャネル番号とし、横軸を無線周波数の使用可否の判定結果を得た時刻としている。白色の円のシンボルは成功（使用可）を示し、灰色の円のシンボルは失敗（使用不可）を示している。シンボルの中に記載された数値は判定指標値［％］である。また、シンボルの大きさは判定指標値の大きさを示している。図６（Ａ）〜図６（Ｃ）を同時に１つのウィンドウに表示してもよいし、図６（Ａ）〜図６（Ｃ）を別々のウィンドウに表示してもよい。
【００５６】
図６（Ａ）によれば、時刻ｔ１におけるチャネル番号１５の無線周波数の判定指標値は８０［％］と高く、使用可否の判定結果は「成功」である。したがって、この判定指標値を生成した第１の生成アルゴリズムは、チャネル番号１５の無線周波数および時刻ｔ１の時間帯に関して妥当であると判断できる。また、時刻ｔ２におけるチャネル番号１１の無線周波数の判定指標値は６０［％］と低く、使用可否の判定結果は「失敗」である。したがって、この判定指標値を生成した第１の生成アルゴリズムは、チャネル番号１１の無線周波数および時刻ｔ２の時間帯に関して妥当であると判断できる。また、時刻ｔ３におけるチャネル番号５の無線周波数の判定指標値は７０［％］と高いが、使用可否の判定結果は「失敗」である。したがって、この判定指標値を生成した第１の生成アルゴリズムは、チャネル番号５の無線周波数および時刻ｔ３の時間帯に関して妥当ではないと判断できる。
【００５７】
このように、無線周波数の使用可否の判定結果と判定指標値とを１つのシンボルで表現し、これを時系列で表示することで、判定指標値の生成アルゴリズムの妥当性を判断することができる。また、本実施の形態の表示方法によれば、時間帯別の生成アルゴリズムの妥当性も判断することができる。例えば特定の時刻に他の時間帯とは大いに異なる判定結果が検出された場合に、その特定の時刻に判定結果に影響を与える事象が生じたかどうかを検討する手がかりになり、オペレータが判定指標値生成アルゴリズム選択部１１で現在選択されている判定指標値の生成アルゴリズムが妥当なものかどうかを判断する際の材料を提供することができる。
【００５８】
無線周波数使用可否判定結果表示部１０による表示を見たオペレータは、判定指標値生成アルゴリズム選択部１１が現在選択している判定指標値の生成アルゴリズムが妥当なものかどうかを判断した結果、妥当ではないと判断した場合、判定指標値生成アルゴリズム選択部１１に対して生成アルゴリズムの選択を変更する指示を与える。
【００５９】
判定指標値生成アルゴリズム選択部１１は、オペレータの指示に従って３つの生成アルゴリズムのうちいずれか１つを選択する。なお、判定指標値生成アルゴリズム選択部１１は、判定指標値の生成アルゴリズムを全ての無線周波数および全ての時間帯に共通のものとして選択してもよいし、無線周波数によって異なる生成アルゴリズムを選択してもよいし、時間帯によって異なる生成アルゴリズムを選択してもよい。どのような選択をするかはオペレータが指定することができる。
【００６０】
以上のように、本実施の形態では、使用不可周波数リストに登録されている使用不可能状態の無線周波数毎に判定指標値を算出し、判定指標値を基に、使用可能になっている可能性が高い無線周波数を使用不可登録削除候補として抽出し、使用不可登録削除候補が実際に使用可能になったかどうかを確認して、使用可能になった使用不可登録削除候補を使用不可周波数リストから削除するようにしたので、使用できない無線周波数で通信を試みる可能性を低減することができ、通信の遅延や無駄なエネルギー消費を低減して、使用可能な無線周波数を効率良く増やすことができる。
【００６１】
また、本実施の形態では、使用不可登録削除候補が実際に使用可能になったかどうかの判定結果を判定指標値の全てのアルゴリズムについて表示することにより、オペレータが判定指標値生成アルゴリズム選択部１１で現在選択されている判定指標値の生成アルゴリズムが妥当なものかどうかを判断し易くなる。その結果、適切な生成アルゴリズムを判定指標値生成アルゴリズム選択部１１に選択させることができる。
【００６２】
また、使用不可登録削除処理で使用不可と判定された無線周波数は次回の使用不可登録削除処理でも使用不可と判定される可能性が高い。本実施の形態では、使用不可登録削除処理で使用不可と判定された無線周波数の履歴情報に降格マークを付加することで、次回の使用不可登録削除処理で使用不可登録削除候補として選定され難いようにすることができ、使用可能な無線周波数を効率良く増やすことができる。
【００６３】
また、本実施の形態では、判定指標値が所定の閾値以上という条件を使用不可登録削除候補の抽出条件としているが、これに限るものではなく、判定指標値が示す選択順位が高い方から数えた無線周波数の個数が指定個数であること、という条件を抽出条件としてもよい。なお、図６（Ａ）〜図６（Ｃ）の横軸は無線周波数の使用可否の判定結果を得た時刻ではなく、判定結果を得た日時であってもよい。
【００６４】
［第２の実施の形態］
次に、本発明の第２の実施の形態について説明する。本実施の形態においても、無線周波数管理装置の構成および無線周波数管理装置の処理の流れは第１の実施の形態と同様であるので、図１の符号を用いて説明する。本実施の形態は、無線周波数使用可否判定結果表示部１０による別の表示方法を説明するものである。その他の構成は第１の実施の形態で説明したとおりである。
【００６５】
図７（Ａ）〜図７（Ｃ）は本実施の形態の無線周波数使用可否判定結果表示部１０による表示例を示す図であり、図７（Ａ）は第１の生成アルゴリズムによって算出された判定指標値Ｖ１に基づいて抽出された無線周波数の使用可否の判定結果を示す図、図７（Ｂ）は第２の生成アルゴリズムによって算出された判定指標値Ｖ２に基づいて抽出された無線周波数の使用可否の判定結果を示す図、図７（Ｃ）は第３の生成アルゴリズムによって算出された判定指標値Ｖ３に基づいて抽出された無線周波数の使用可否の判定結果を示す図である。
【００６６】
図７（Ａ）〜図７（Ｃ）では、縦軸を成功（使用可）という判定結果が得られた成功回数（頻度）および失敗（使用不可）という判定結果が得られた失敗回数（頻度）とし、横軸を判定指標値としている。縦軸については、０回より上側が成功回数を示し、０回より下側が失敗回数を示している。白色の四角のシンボルは成功を示し、灰色の四角のシンボルは失敗を示しており、１個のシンボルが１回成功または１回失敗を示している。横軸については、判定指標値を１０刻みとしている。例えば判定指標値６５［％］に基づいて抽出された無線周波数の成功回数および失敗回数は、判定指標値６０〜６９［％］に対応するシンボルによって表現される。
【００６７】
無線周波数使用可否判定結果履歴記憶部９には図５に示したような履歴情報が記憶されている。したがって、無線周波数使用可否判定結果表示部１０は、使用可否の判定の成功、失敗を判定指標値毎および判定指標値の生成アルゴリズム毎にカウントすれば、成功回数および失敗回数を得ることができる。判定指標値の第２の生成アルゴリズムで用いる失敗回数Ｆは、無線周波数が使用不可周波数リストに登録された最新の日時以降に行われた当該無線周波数の使用可否の判定で失敗という判定結果が得られた回数であるが、図７（Ａ）〜図７（Ｃ）で表示する失敗回数は、失敗回数Ｆとは異なり、無線周波数使用可否判定結果履歴記憶部９に記憶されている過去から現在までの全ての判定結果が対象となる。なお、図７（Ａ）〜図７（Ｃ）を同時に１つのウィンドウに表示してもよいし、図７（Ａ）〜図７（Ｃ）を別々のウィンドウに表示してもよい。
【００６８】
本実施の形態によれば、使用不可登録削除候補が実際に使用可能になったかどうかの判定の成功回数および失敗回数を判定指標値の全てのアルゴリズムについて判定指標値の区分別に表示することにより、オペレータは無線周波数の使用可否の判定結果と判定指標値とが整合しているかどうかを把握することができ、オペレータが判定指標値生成アルゴリズム選択部１１で現在選択されている判定指標値の生成アルゴリズムが妥当なものかどうかを判断する際の材料を提供することができる。
【００６９】
［第３の実施の形態］
次に、本発明の第３の実施の形態について説明する。本実施の形態においても、無線周波数管理装置の構成および無線周波数管理装置の処理の流れは第１の実施の形態と同様であるので、図１の符号を用いて説明する。本実施の形態は、無線周波数使用可否判定結果表示部１０による別の表示方法を説明するものである。その他の構成は第１の実施の形態で説明したとおりである。
【００７０】
図８（Ａ）〜図８（Ｃ）は本実施の形態の無線周波数使用可否判定結果表示部１０による表示例を示す図であり、図８（Ａ）は第１の生成アルゴリズムによって算出された判定指標値Ｖ１に基づいて抽出された無線周波数の使用可否の判定結果を示す図、図８（Ｂ）は第２の生成アルゴリズムによって算出された判定指標値Ｖ２に基づいて抽出された無線周波数の使用可否の判定結果を示す図、図８（Ｃ）は第３の生成アルゴリズムによって算出された判定指標値Ｖ３に基づいて抽出された無線周波数の使用可否の判定結果を示す図である。
【００７１】
図８（Ａ）〜図８（Ｃ）では、縦軸を成功（使用可）という判定結果が得られた成功回数（頻度）および失敗（使用不可）という判定結果が得られた失敗回数（頻度）とし、横軸を無線周波数のチャネル番号としている。縦軸については、０回より上側が成功回数を示し、０回より下側が失敗回数を示している。白色の四角のシンボルは成功を示し、灰色の四角のシンボルは失敗を示しており、１個のシンボルが１回成功または１回失敗を示している。シンボルの中に記載された数値は判定指標値［％］である。
【００７２】
無線周波数使用可否判定結果履歴記憶部９には図５に示したような履歴情報が記憶されている。したがって、無線周波数使用可否判定結果表示部１０は、使用可否の判定の成功、失敗を無線周波数（使用不可登録削除候補）毎および判定指標値の生成アルゴリズム毎にカウントすれば、成功回数および失敗回数を得ることができる。ここでの失敗回数は、判定指標値の第２の生成アルゴリズムで用いる失敗回数Ｆとは異なり、無線周波数使用可否判定結果履歴記憶部９に記憶されている過去から現在までの全ての判定結果が対象となる。なお、図８（Ａ）〜図８（Ｃ）を同時に１つのウィンドウに表示してもよいし、図８（Ａ）〜図８（Ｃ）を別々のウィンドウに表示してもよい。
【００７３】
本実施の形態によれば、使用不可登録削除候補が実際に使用可能になったかどうかの判定の成功回数および失敗回数を判定指標値の全てのアルゴリズムについて無線周波数別に表示することにより、オペレータは無線周波数の使用可否の判定結果と判定指標値とが整合しているかどうかを無線周波数毎に把握することができ、オペレータが判定指標値生成アルゴリズム選択部１１で現在選択されている判定指標値の生成アルゴリズムが妥当なものかどうかを判断する際の材料を提供することができる。
なお、図８（Ａ）〜図８（Ｃ）ではチャネル番号を無線周波数（使用不可登録削除候補）の識別情報としているが、周波数の値そのものを無線周波数の識別情報として表示してもよい。
【００７４】
第１〜第３の実施の形態で説明した判定指標値の生成アルゴリズムは、あくまでも事例である。使用可能になっている可能性が高い無線周波数を抽出できるものであれば、判定指標値の生成アルゴリズムは第１〜第３の実施の形態で説明したものに限られない。
【００７５】
第１〜第３の実施の形態で説明した無線周波数管理装置は、ＣＰＵ（Central Processing Unit）、記憶装置及びインタフェースを備えたコンピュータと、これらのハードウェア資源を制御するプログラムによって実現することができる。ＣＰＵは、記憶装置に格納されたプログラムに従って第１〜第３の実施の形態で説明した処理を実行する。
【産業上の利用可能性】
【００７６】
本発明は、プラントで使用される無線フィールド機器や、建物内で使用される無線センサシステムなどの、無線システムに適用することができる。
【符号の説明】
【００７７】
１…使用不可周波数リスト記憶部、２…使用不可登録履歴記憶部、３…使用不可周波数リスト登録部、４…判定指標値生成部、５…使用不可登録削除候補抽出部、６…無線周波数使用可否判定部、７…使用不可登録削除部、８…降格マーク付加部、９…無線周波数使用可否判定結果履歴記憶部、１０…無線周波数使用可否判定結果表示部、１１…判定指標値生成アルゴリズム選択部。
【図１】
2015119245.tif 000003
【図２】
2015119245.tif 000004
【図３】
2015119245.tif 000005
【図４】
2015119245.tif 000006
【図５】
2015119245.tif 000007
【図６】
2015119245.tif 000008
【図７】
2015119245.tif 000009
【図８】
2015119245.tif 000010